(57)【要約】【課題】無線接続装置と基地局とを容易に無線接続し得るようにする。【解決手段】本発明は、予め割り当てられたＳＳＩＤと同じＳＳＩＤを受信した際に無線接続を許可する基地局５に対する無線接続要求Ｃ１に応じて、１又は複数の基地局５にそれぞれ割り当てられたＳＳＩＤを記憶する記憶部２５及び５６から全てのＳＳＩＤを読み出し、当該読み出したＳＳＩＤを順番に送信するようにしたことにより、ＳＳＩＤの入力操作を必要とせずに無線接続要求Ｃ１を入力させるだけの簡単な操作で、基地局５に対する無線接続処理を実行することができ、かくして無線接続装置と基地局とを容易に無線接続することができる。【選択図】        図２
2004187001.tif 000002
【特許請求の範囲】
【請求項１】
予め割り当てられた識別情報と同じ識別情報を受信した際に無線接続を許可する基地局と無線接続する無線接続装置において、
１又は複数の上記基地局にそれぞれ割り当てられた上記識別情報を記憶する記憶手段と、
上記基地局と無線通信する無線通信手段と、
上記基地局に対する無線接続要求に応じて、上記記憶手段から全ての上記識別情報を読み出し、当該読み出した上記識別情報を順番に送信するように上記無線通信手段を制御する制御手段と
を具えることを特徴とする無線接続装置。
【請求項２】
上記記憶手段は、
無線周波数帯域内の複数の周波数チャネルのうちいずれか１つの当該周波数チャネルがそれぞれ無線通信用に割り当てられている１又は複数の上記基地局にそれぞれ割り当てられた上記識別情報を記憶し、
上記制御手段は、
上記基地局に対する上記無線接続要求に応じて、順次１つの上記周波数チャネルで全ての上記識別情報を順番に送信することにより複数の上記周波数チャネルでそれぞれ全ての上記識別情報を送信するように上記無線通信手段を制御する
ことを特徴とする請求項１に記載の無線接続装置。
【請求項３】
上記記憶手段は、
無線周波数帯域内の複数の周波数チャネルのうちいずれか１つの当該周波数チャネルが無線通信用に割り当てられている１又は複数の上記基地局にそれぞれ割り当てられた上記識別情報を記憶し、
上記制御手段は、
上記基地局に対する上記無線接続要求に応じて、順次１つの上記識別情報を複数の上記周波数チャネルで順番に送信することにより全ての上記識別情報をそれぞれ複数の上記周波数チャネルで送信するように上記無線通信手段を制御する
ことを特徴とする請求項１に記載の無線接続装置。
【請求項４】
上記記憶手段は、
１又は複数の上記基地局にそれぞれ割り当てられた上記識別情報と、当該基地局と無線接続した際に無線通信に使用する所定のプログラムとを対応付けて記憶し、
上記制御手段は、
上記無線通信手段を制御して全ての上記識別情報のうちいずれか１つの上記識別情報を送信した結果、上記基地局により上記無線接続が許可されると、上記記憶手段から上記いずれか１つの上記識別情報に対応する上記所定のプログラムを読み出す
ことを特徴とする請求項１に記載の無線接続装置。
【請求項５】
上記記憶手段は、
無線周波数帯域内の複数の周波数チャネルのうちいずれか１つの当該周波数チャネルが無線通信用に割り当てられ、当該割り当てられた上記周波数チャネルと同じ周波数チャネルで返答要求信号を受信した際に返答信号を返信する１又は複数の上記基地局にそれぞれ割り当てられた上記識別情報を記憶し、
上記制御手段は、
上記基地局に対する上記無線接続要求に応じて、複数の上記周波数チャネルでそれぞれ上記返答要求信号を送信することにより上記基地局から返信された上記返答信号の上記周波数チャネルで全ての上記識別情報を順番に送信するように上記無線通信手段を制御する
ことを特徴とする請求項１に記載の無線接続装置。
【請求項６】
予め割り当てられた識別情報と同じ識別情報を受信した際に無線接続を許可する基地局と無線接続する無線接続方法において、
上記基地局に対する無線接続要求を受け取る受取ステップと、
上記無線接続要求に応じて、１又は複数の上記基地局にそれぞれ割り当てられた上記識別情報を記憶している記憶手段から全ての上記識別情報を読み出すと共に、当該読み出した上記識別情報を順番に送信する識別情報送信ステップと
を具えることを特徴とする無線接続方法。
【請求項７】
上記受取ステップは、
無線周波数帯域内の複数の周波数チャネルのうちいずれか１つの当該周波数チャネルがそれぞれ無線通信用に割り当てられている上記基地局に対する上記無線接続要求を受け取り、
上記識別情報送信ステップは、
上記無線接続要求に応じて、上記記憶手段から全ての上記識別情報を読み出すと共に、順次１つの上記周波数チャネルで全ての上記識別情報を順番に送信することにより複数の上記周波数チャネルでそれぞれ全ての上記識別情報を送信する
ことを特徴とする請求項６に記載の無線接続方法。
【請求項８】
上記受取ステップは、
無線周波数帯域内の複数の周波数チャネルのうちいずれか１つの当該周波数チャネルが無線通信用に割り当てられている上記基地局に対する上記無線接続要求を受け取り、
上記識別情報送信ステップは、
上記無線接続要求に応じて、上記記憶手段から全ての上記識別情報を読み出すと共に、順次１つの上記識別情報を複数の上記周波数チャネルで順番に送信することにより全ての上記識別情報をそれぞれ複数の上記周波数チャネルで送信する
ことを特徴とする請求項６に記載の無線接続方法。
【請求項９】
全ての上記識別情報のうちいずれか１つの上記識別情報を送信した結果、上記基地局により上記無線接続が許可されると、１又は複数の上記基地局にそれぞれ割り当てられた上記識別情報と、当該基地局と無線接続した際に無線通信に使用する所定のプログラムとを対応付けて記憶している上記記憶手段から上記いずれか１つの上記識別情報に対応する上記所定のプログラムを読み出すプログラム読出ステップ
を具えることを特徴とする請求項６に記載の無線接続方法。
【請求項１０】
無線周波数帯域内の複数の周波数チャネルのうちいずれか１つの当該周波数チャネルが無線通信用に割り当てられ、当該割り当てられた上記周波数チャネルと同じ周波数チャネルで返答要求信号を受信した際に返答信号を返信する上記基地局に対して、複数の上記周波数チャネルでそれぞれ上記返答要求信号を送信する返答要求信号送信ステップ
を具え、
上記識別情報送信ステップは、
上記返答要求信号を送信した結果、上記基地局から返信された上記返答信号の上記周波数チャネルで全ての上記識別情報を順番に送信する
ことを特徴とする請求項６に記載の無線接続方法。
【請求項１１】
コンピュータに、
予め割り当てられた識別情報と同じ識別情報を受信した際に無線接続を許可する基地局に対する無線接続要求を受け取る受取ステップと、
上記無線接続要求に応じて、１又は複数の上記基地局にそれぞれ割り当てられた上記識別情報を記憶している記憶手段から全ての上記識別情報を読み出すと共に、当該読み出した上記識別情報を順番に送信する識別情報送信ステップと
を実行させるための無線接続プログラム。
【請求項１２】
上記受取ステップは、
無線周波数帯域内の複数の周波数チャネルのうちいずれか１つの当該周波数チャネルがそれぞれ無線通信用に割り当てられている上記基地局に対する上記無線接続要求を受け取り、
上記識別情報送信ステップは、
上記無線接続要求に応じて、上記記憶手段から全ての上記識別情報を読み出すと共に、順次１つの上記周波数チャネルで全ての上記識別情報を順番に送信することにより複数の上記周波数チャネルでそれぞれ全ての上記識別情報を送信する
ことを特徴とする請求項１１に記載の無線接続プログラム。
【請求項１３】
上記受取ステップは、
無線周波数帯域内の複数の周波数チャネルのうちいずれか１つの当該周波数チャネルが無線通信用に割り当てられている上記基地局に対する上記無線接続要求を受け取り、
上記識別情報送信ステップは、
上記無線接続要求に応じて、上記記憶手段から全ての上記識別情報を読み出すと共に、順次１つの上記識別情報を複数の上記周波数チャネルで順番に送信することにより全ての上記識別情報をそれぞれ複数の上記周波数チャネルで送信する
ことを特徴とする請求項１１に記載の無線接続プログラム。
【請求項１４】
全ての上記識別情報のうちいずれか１つの上記識別情報を送信した結果、上記基地局により上記無線接続が許可されると、１又は複数の上記基地局にそれぞれ割り当てられた上記識別情報と、当該基地局と無線接続した際に無線通信に使用する所定のプログラムとを対応付けて記憶している上記記憶手段から上記いずれか１つの上記識別情報に対応する上記所定のプログラムを読み出すプログラム読出ステップ
を具えることを特徴とする請求項１１に記載の無線接続プログラム。
【請求項１５】
無線周波数帯域内の複数の周波数チャネルのうちいずれか１つの当該周波数チャネルが無線通信用に割り当てられ、当該割り当てられた上記周波数チャネルと同じ周波数チャネルで返答要求信号を受信した際に返答信号を返信する上記基地局に対して、複数の上記周波数チャネルでそれぞれ上記返答要求信号を送信する返答要求信号送信ステップ
を具え、
上記識別情報送信ステップは、
上記返答要求信号を送信した結果、上記基地局から返信された上記返答信号の上記周波数チャネルで全ての上記識別情報を順番に送信する
ことを特徴とする請求項１１に記載の無線接続プログラム。
【発明の詳細な説明】
【０００１】
【発明の属する技術分野】
本発明は無線接続方法に関し、例えば無線ＬＡＮ（Ｌｏｃａｌ  Ａｒｅａ  Ｎｅｔｗｏｒｋ）を構築する無線ＬＡＮ用の基地局（以下、アクセスポイントと呼ぶ）と無線接続装置とが無線接続する場合に適用して好適なものである。
【０００２】
【従来の技術】
従来の無線ＬＡＮシステムは、無線接続装置（子局）が予め接続可能なアクセスポイント（親局）を知っている上で移動して、既に通信している旧アクセスポイントとの通信状態が悪化すると自動で新アクセスポイントとの通信に切り換えるようにしている（例えば、特許文献１参照）。
【０００３】
また、無線接続装置（無線通信装置）が複数のアクセスポイントのうち設定された電界強度を満たすものの中で、設定された優先順位が高いものを接続アクセスポイントとして選択するようにしたものもある（例えば、特許文献２参照）。
【０００４】
【特許文献１】
特許第３２５１７９７号公報（第５頁、第３図、第７図）
【特許文献２】
特開２００１−３０８８６６公報（第１頁、第１図）
【０００５】
【発明が解決しようとする課題】
ところで、かかる構成の無線ＬＡＮシステムにおいては、個々のアクセスポイントに割り当てられた識別情報でなるＳＳＩＤ（Ｓｅｒｖｉｃｅ  Ｓｅｔ  Ｉｄｅｎｔｉｆｉｅｒ）を用いて当該アクセスポイントと無線接続装置とが無線接続している。
【０００６】
ところがかかる無線ＬＡＮシステムにおいては、無線接続装置をアクセスポイントに無線接続する場合、当該無線接続装置に対してユーザが無線接続対象のアクセスポイントに割り当てられているＳＳＩＤを入力して通信設定を行う煩雑な操作が必要であり、当該無線接続装置をアクセスポイントに容易には無線接続し難い問題があった。
【０００７】
本発明は以上の点を考慮してなされたもので、無線接続装置と基地局とを容易に無線接続し得る無線接続方法を提案しようとするものである。
【０００８】
【課題を解決するための手段】
かかる課題を解決するため本発明においては、予め割り当てられた識別情報と同じ識別情報を受信した際に無線接続を許可する基地局と無線接続する無線接続装置において、制御手段により、基地局に対する無線接続要求に応じて、１又は複数の基地局にそれぞれ割り当てられた識別情報を記憶する記憶手段から全ての識別情報を読み出し、当該読み出した識別情報を順番に送信するように、当該基地局と無線通信する無線通信手段を制御するようにした。
【０００９】
従って、識別情報の入力操作を必要とせずに無線接続要求を入力させるだけの簡単な操作で、基地局に対する無線接続処理を実行することができる。
【００１０】
【発明の実施の形態】
以下図面について、本発明の一実施の形態を詳述する。
【００１１】
（１）第１の実施の形態
図１において、１は本発明を適用した無線ＬＡＮシステムを示し、ＰＤＡ（Ｐｅｒｓｏｎａｌ  Ｄｉｇｉｔａｌ  Ａｓｓｉｓｔａｎｔｓ  ）等でなる情報処理装置２に無線接続装置３を装着して構成された無線通信端末４を通信用のＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ）８０２．１１ｂ規格に準じてアクセスポイント５に無線接続し得るようになされている。
【００１２】
ここでＩＥＥＥ８０２．１１ｂ規格は  ２．４〔ＧＨｚ  〕の無線周波数帯域をマルチチャネル機能により複数（１３〜１４）の周波数チャネルに分けて使用するようになされており、個々のアクセスポイント５にそれぞれいずれか１つの周波数チャネルを無線通信に使用するように割り当てている。
【００１３】
そして無線ＬＡＮシステム１においては、アクセスポイント５が例えばインターネットサービスプロバイダ（ＩＳＰ：Ｉｎｔｅｒｎｅｔ  Ｓｅｒｖｉｃｅ  Ｐｒｏｖｉｄｅｒ  ）によって管理運営され、街中の所定の場所に設置されており、当該アクセスポイント５にインターネット等のネットワーク６が接続されている。
【００１４】
これにより無線ＬＡＮシステム１においては、無線通信端末４とアクセスポイント５とが無線接続して無線ＬＡＮを構築した場合、例えば無線通信端末４により、アクセスポイント５を介してネットワーク６上の情報提供サーバ（図示せず）から所望の情報を取得し得るようになされている。
【００１５】
実際上図２に示すように、無線通信端末４において情報処理装置２は、ＣＰＵ（Ｃｅｎｔｒａｌ  Ｐｒｏｃｅｓｓｉｎｇ  Ｕｎｉｔ  ）でなる制御部（以下、これを情報処理制御部と呼ぶ）１０にバス１１を介して、記憶部１２、表示部１３、操作部１４及び外部機器インタフェース部１５が接続されて構成されている。
【００１６】
そして情報処理制御部１０は、記憶部１２に予め記憶している各種アプリケーションプログラムに従って、情報処理装置２全体を制御することにより、情報処理用の各種機能を実現している。
【００１７】
一方、無線接続装置３は、情報処理装置２に装着された際にその外部機器インタフェース部１５に接続される外部インタフェース部２０を有し、当該外部インタフェース部２０にＩＥＥＥ８０２．１１ｂ規格に準拠した無線ＬＡＮＭＡＣ（Ｍｅｄｉａ  Ａｃｃｅｓｓ  Ｃｏｎｔｒｏｌｌｅｒ  ）でなるデータ処理部２１と、ＲＦ（Ｒａｄｉｏ  Ｆｒｅｑｕｅｎｃｙ  ）部２２と、アンテナ２３とが順番に接続されている。
【００１８】
また無線接続装置３は、ＣＰＵでなる制御部（以下、これを無線接続制御部と呼ぶ）２４と、これに接続された内部メモリでなる記憶部２５とを有し、当該無線接続制御部２４が情報処理装置２から与えられる各種要求に応じて、記憶部２５に予め記憶している各種アプリケーションプログラムに従い無線接続装置３全体を制御することにより、アクセスポイント５との通信用の各種機能を実現している。
【００１９】
ここでアクセスポイント５は上述したようにインターネットサービスプロバイダによって管理運営されており、そのインターネットサービスプロバイダ固有のＳＳＩＤが割り当てられ、当該ＳＳＩＤを無線通信端末４との無線接続の際に用いるために予め保持している。
【００２０】
またインターネットサービスプロバイダは、無線通信端末４を所有するユーザから当該インターネットサービスプロバイダの利用登録の依頼があり、これに応じてユーザにインターネットサービスプロバイダの利用を許可して利用登録すると、自己の管理運営しているアクセスポイント５に割り当てたＳＳＩＤをユーザに通知する。
【００２１】
さらにインターネットサービスプロバイダは、アクセスポイント５を介して扱うデータをＷＥＰ（Ｗｉｒｅｄ  Ｅｑｕｉｖａｌｅｎｔ  Ｐｒｉｖａｃｙ）方式と呼ばれる暗号化方式で暗号化しており、その暗号化及び復号化に用いるＷＥＰキーと呼ばれる暗号鍵もＳＳＩＤと合わせてユーザに通知している。
【００２２】
これによりインターネットサービスプロバイダは、ユーザに当該インターネットサービスプロバイダと共にこれの管理運営しているアクセスポイント５の利用も許可する。
【００２３】
そしてインターネットサービスプロバイダに利用登録されたユーザの所有する無線通信端末４において、情報処理装置２の情報処理制御部１０は、インターネットサービスプロバイダからユーザに通知されたＳＳＩＤ及びＷＥＰキーが操作部１４を介して入力されると、そのＳＳＩＤ及びＷＥＰキーをアクセスポイント利用登録データＤ１としてバス１１及び外部機器インタフェース部１５を順次介して無線接続装置３に送出する。
【００２４】
この際、無線接続装置３において無線接続制御部２４は、情報処理装置２から与えられたアクセスポイント利用登録データＤ１を外部インタフェース部２０を介して取り込み、当該取り込んだアクセスポイント利用登録データＤ１を記憶部２５に記憶する。
【００２５】
そして情報処理制御部１０は、利用登録されたインターネットサービスプロバイダの管理運営しているアクセスポイント５の通信範囲内に無線通信端末４が持ち込まれた状態で、例えば特定の１つのボタンを押下するような操作部１４の操作によりそのアクセスポイント５に対する無線接続要求Ｃ１が入力されると、当該無線接続要求Ｃ１をバス１１及び外部機器インタフェース部１５を順次介して無線接続装置３に送出する。
【００２６】
無線接続制御部２４は、情報処理装置２から与えられた無線接続要求Ｃ１を外部インタフェース部２０を介して取り込み、当該取り込んだ無線接続要求Ｃ１に応じて、記憶部２５からアクセスポイント５に割り当てられているＳＳＩＤを読み出してデータ処理部２１に送出すると共に、当該アクセスポイント５に割り当てられている周波数チャネルで信号を送受信するようにＲＦ部２２を制御する。
【００２７】
これによりデータ処理部２１は無線接続制御部２４から与えられたＳＳＩＤに所定の送信処理を施し、得られた接続要求データＤ２をＲＦ部２２において変調することにより接続要求信号Ｓ１としてアンテナ２３からアクセスポイント５に送信する。
【００２８】
この結果、無線接続制御部２４は、アクセスポイント５において自己の保持しているＳＳＩＤと、接続要求信号Ｓ１に含まれるＳＳＩＤとが一致して無線接続が確立されたことを表す無線接続許可信号Ｓ２が返信されると、これをアンテナ２３によって受信してＲＦ部２２において復調した後、データ処理部２１において所定の受信処理を施し、得られた無線接続許可データＤ３を取り込む。
【００２９】
このようにして無線接続制御部２４は、無線接続許可データＤ３に基づいて、無線接続装置３とアクセスポイント５との無線接続が確立したことを認識すると共に、当該無線接続の確立を外部インタフェース部２０から情報処理装置２において外部機器インタフェース部１５及びバス１１を順次介して情報処理制御部１０に通知し、この後情報処理制御部１０から無線通信の終了命令が与えられるまでの間は無線接続装置３とアクセスポイント５との無線接続を維持する。
【００３０】
これにより情報処理制御部１０は、無線接続装置３からの無線接続の確立の通知によりこれを認識すると、表示部１３を介してユーザに無線接続装置３とアクセスポイント５とが無線接続されたことを通知し、この状態で例えば操作部１４を介して、記憶部１２に予め記憶している送信対象データＤ４に対する送信命令が入力されると、当該記憶部１２からその送信対象データＤ４を読み出してこれをバス１１及び外部機器インタフェース部１５を順次介して無線接続装置３に送出する。
【００３１】
このとき無線接続制御部２４は、情報処理装置２から与えられた送信対象データＤ４を外部インタフェース部２０を介してデータ処理部２１に取り込むと共に、記憶部２５からアクセスポイント５との無線通信に用いるＷＥＰキーを読み出してデータ処理部２１に送出することにより、当該データ処理部２１において、その送信対象データＤ４をＷＥＰキーを用いて暗号化した後、所定の送信処理を施し、得られた送信データＤ５をＲＦ部２２において変調してアンテナ２３からアクセスポイント５に送信する。
【００３２】
また情報処理制御部１０は、操作部１４を介して、ネットワーク６上の情報提供サーバから例えば所望の情報として画像データＤ６を取得するための取得要求が入力されると、これをバス１１及び外部機器インタフェース部１５を順次介して無線接続装置３に送出する。
【００３３】
このとき無線接続制御部２４は、情報処理装置２から与えられた取得要求を、外部インタフェース部２０を介してデータ処理部２１に取り込み、当該データ処理部２１においてその取得要求に所定の送信処理を施し、得られた送信データＤ７をＲＦ部２２において変調してアンテナ２３からアクセスポイント５を介してネットワーク６上の情報提供サーバに送信する。
【００３４】
この結果、無線接続制御部２４は、情報提供サーバから所望の画像データＤ６に相当する送信信号Ｓ３がアクセスポイント５を介して送信されると、これをアンテナ２３で受信してＲＦ部２２において復調した後、データ処理部２１において所望の受信処理を施すと共にＷＥＰキーを用いて復号化することにより、得られた画像データＤ６を外部インタフェース部２０を介して情報処理装置２に送出する。
【００３５】
これにより情報処理制御部１０は、無線接続装置３から与えられた画像データＤ６を外部機器インタフェース部１５及びバス１１を順次介して記憶部１２に記憶すると共に、当該画像データＤ６を表示部１３に送出することによりその画像データＤ６に基づく画像を表示する。
【００３６】
かかる構成に加えてこの無線接続装置３の場合、無線接続制御部２４は図３に示すように、無線通信端末４を所有するユーザが種々のインターネットサービスプロバイダに対して利用登録することにより、その結果得られたインターネットサービスプロバイダ固有のＳＳＩＤ及びＷＥＰキーがアクセスポイント利用登録データＤ１として情報処理装置２から与えられると、その都度、当該アクセスポイント利用登録データＤ１に基づいて得られるＳＳＩＤ及びＷＥＰキー同士を例えば利用登録によってＳＳＩＤ及びＷＥＰキーが与えられた順番を表す登録番号と対応付けて記憶部２５に記憶することにより、当該記憶部２５上でこれらＳＳＩＤ（ｓｓｉｄ３０）及びＷＥＰキー（ｗｅｐｋｅｙ３１）並びに登録番号（ＡＰｉｎｄｅｘ３２）の一覧表でなるアクセスポイント情報データテーブル３３を更新する。
【００３７】
また無線接続制御部２４は、アクセスポイント５との無線通信で使用可能な全ての周波数チャネルの通信周波数の値もチャネルデータテーブルとして記憶部２５に記憶している。
【００３８】
そして無線接続制御部２４は、情報処理装置２から無線接続要求Ｃ１が与えられた場合、記憶部２５からチャネルデータテーブル内の周波数チャネルの通信周波数の値を順番に読み出し、当該読み出した通信周波数の値で信号を送受信するようにＲＦ部２２を制御する。
【００３９】
また無線接続制御部２４は、ＲＦ部２２に１つの周波数チャネルを設定する毎に、記憶部２５からアクセスポイント情報データテーブル３３内の全てのＳＳＩＤをその登録順番に従って順次読み出してデータ処理部２１に送出することにより当該ＳＳＩＤをデータ処理部２１及びＲＦ部２２を順次介して接続要求信号Ｓ１とし、そのときＲＦ部２２に設定している周波数チャネルでアンテナ２３から送信する。
【００４０】
この場合アクセスポイント５は、自己に割り当てられている周波数チャネルとは異なる周波数チャネルで無線接続装置３から接続要求信号Ｓ１が送信されていると、当該接続要求信号Ｓ１を受信することができないことにより、無線接続装置３に対して何ら返信しない。
【００４１】
またアクセスポイント５は、自己に割り当てられている周波数チャネルと同じ周波数チャネルで無線接続装置３から接続要求信号Ｓ１が送信されると、これを受信するものの、当該接続要求信号Ｓ１に基づいて得られるＳＳＩＤと自己の保持しているＳＳＩＤとが一致したときのみ、無線接続許可信号Ｓ２を無線接続装置３に返信し、これらＳＳＩＤ同士が一致しないときには無線接続装置３に対して何ら返信はしない。
【００４２】
従って無線接続制御部２４は、ＲＦ部２２に対して１つの周波数チャネルを設定する毎にアクセスポイント情報データテーブル３３内の全てのＳＳＩＤを順番に使用して接続要求信号Ｓ１を送信しながらアクセスポイント５から返信される無線接続許可信号Ｓ２の受信を待ち受け、このようにして当該アクセスポイント５と無線接続装置３との無線接続を自動で確立し得るようになされている。
【００４３】
因みに無線接続制御部２４は、個々のＳＳＩＤに基づく接続要求信号Ｓ１の生成及び送信タイミングをそれぞれ、１つの接続要求信号Ｓ１の送信からこれに応じてアクセスポイント５から返信された無線接続許可信号Ｓ２を受信するまでの期間と重ならないように選定している。
【００４４】
これにより無線接続制御部２４は、無線接続許可信号Ｓ２を受信してアクセスポイント５と無線接続装置３との無線接続が確立されたときに、その無線接続の確立に用いたＳＳＩＤ及び周波数チャネルを適確に確認し得ると共に、続く無線通信において、その確認したＳＳＩＤに対応するＷＥＰキーを記憶部２５のアクセスポイント情報データテーブル３３内から読み出して適確に使用し得るようになされている。
【００４５】
また無線接続制御部２４は、全ての周波数チャネルでそれぞれ全てのＳＳＩＤを接続要求信号Ｓ１として順番に送信し終える前にアクセスポイント５と無線接続装置３との無線接続が確立されると、その時点でアクセスポイント５と無線接続装置３との無線接続処理を終了すると共に、情報処理装置２に無線接続が確立されたことを通知する。
【００４６】
さらに無線接続制御部２４は、全ての周波数チャネルでそれぞれ全てのＳＳＩＤを接続要求信号Ｓ１として順番に送信し終えても、アクセスポイント５と無線接続装置３との無線接続が確立されなければ、その旨を外部インタフェース部２０から外部機器インタフェース部１５及びバス１１を順次介して情報処理制御部１０に通知する。
【００４７】
そして情報処理制御部１０は、この際、アクセスポイント５と無線接続装置３とが無線接続できなかったことを表示部１３を介してユーザに通知すると共に、そのアクセスポイント５がユーザの利用登録したインターネットサービスプロバイダとは異なる他のインターネットサービスプロバイダによって管理運営されていることも合わせて通知する。
【００４８】
これにより情報処理制御部１０は、無線接続できなかったアクセスポイント５がユーザによって今後も使用したいと考えられている場合、そのアクセスポイント５を管理運営しているインターネットサービスプロバイダに対して利用登録することを促すことができる。
【００４９】
ここで実際上、無線接続制御部２４はかかる無線接続処理を記憶部２５に予め記憶している第１の無線接続処理プログラムに従って実行している。
【００５０】
すなわち無線接続制御部２４は、情報処理装置２から無線接続要求Ｃ１が与えられると、記憶部２５から第１の無線接続処理プログラムを読み出すと共に、当該読み出した第１の無線接続処理プログラムに従って図４に示す無線接続処理手順ＲＴ１に開始ステップから入ってステップＳＰ１に移る。
【００５１】
ステップＳＰ１において無線接続制御部２４は、記憶部２５からチャネルデータテーブルに従って最初の周波数チャネルの通信周波数の値を読み出してＲＦ部２２を制御することにより当該ＲＦ部２２に対して最初の周波数チャネルを設定して、次のステップＳＰ２に移る。
【００５２】
ステップＳＰ２において無線接続制御部２４は、ＲＦ部２２に対して全ての周波数チャネルを設定したか否かを判断する。
【００５３】
このステップＳＰ２において否定結果が得られると、このことはＲＦ部２２に対して未だ全ての周波数チャネルを設定してはいないことを表しており、このとき無線接続制御部２４はステップＳＰ３に移る。
【００５４】
ステップＳＰ３において無線接続制御部２４は、記憶部２５からアクセスポイント情報データテーブル３３内の登録順番に従ったＳＳＩＤ（この場合は最初に登録したＳＳＩＤ）を読み出して、次のステップＳＰ４に移る。
【００５５】
ステップＳＰ４において無線接続制御部２４は、既にアクセスポイント情報データテーブル３３内の全てのＳＳＩＤを接続要求信号Ｓ１として送信し終えているか否かを判断する。
【００５６】
このステップＳＰ４において否定結果が得られると、このことはアクセスポイント情報データテーブル３３内の全てのＳＳＩＤを接続要求信号Ｓ１として未だ送信し終えてはいないことを表しており、このとき無線接続制御部２４はステップＳＰ５に移る。
【００５７】
ステップＳＰ５において無線接続制御部２４は、記憶部２５から読み出したＳＳＩＤをデータ処理部２１及びＲＦ部２２において接続要求信号Ｓ１とし、これをその時点にＲＦ部２２に設定している周波数チャネルでアンテナ２３から送信してステップＳＰ６に移る。
【００５８】
ステップＳＰ６において無線接続制御部２４は、アクセスポイント５から返信される無線接続許可信号Ｓ２を受信したか否かを判断する。
【００５９】
ステップＳＰ６において否定結果が得られると、このことはアクセスポイント５に割り当てられている周波数チャネルと接続要求信号Ｓ１を送信した周波数チャネルとが異なり、又はアクセスポイント５に割り当てられているＳＳＩＤと接続要求信号Ｓ１として送信したＳＳＩＤとが異なることにより無線接続装置３がアクセスポイント５と無線接続することができなかったことを表しており、このとき無線接続制御部２４はステップＳＰ７に移る。
【００６０】
ステップＳＰ７において無線接続制御部２４は、記憶部２５からアクセスポイント情報データテーブル３３内の登録順番に従って新たなＳＳＩＤを読み出して、ステップＳＰ４に戻る。
【００６１】
このようにして無線接続制御部２４は、ＲＦ部２２に対して１つの周波数チャネルを設定した状態でアクセスポイント５から返信される無線接続許可信号Ｓ２を受信するまでの間は、ステップＳＰ４−ＳＰ５−ＳＰ６−ＳＰ７の一連の処理を循環的に繰り返すことにより、順次新たなＳＳＩＤを接続要求信号Ｓ１として送信する。
【００６２】
そしてステップＳＰ４において肯定結果が得られると、このことは１つの周波数チャネルでアクセスポイント情報データテーブル３３内の全てのＳＳＩＤを接続要求信号Ｓ１として送信し終えたことを表しており、このとき無線接続制御部２４はステップＳＰ８に移る。
【００６３】
ステップＳＰ８において無線接続制御部２４は、記憶部２５からチャネルデータテーブルに従って新たな周波数チャネルの通信周波数の値を読み出してＲＦ部２２を制御することにより、当該ＲＦ部２２に対して新たな周波数チャネルを設定して、ステップＳＰ２に戻る。
【００６４】
このようにして無線接続制御部２４は、アクセスポイント５から返信される無線接続許可信号Ｓ２を受信するまでの間は、ステップＳＰ２−ＳＰ３−ＳＰ４−ＳＰ５−ＳＰ６−ＳＰ７−ＳＰ８の一連の処理を循環的に繰り返すことにより、個々の周波数チャネルでそれぞれ全てのＳＳＩＤを接続要求信号Ｓ１として順番に送信する。
【００６５】
そしてステップＳＰ６において肯定結果が得られると、このことはアクセスポイント５に割り当てられているＳＳＩＤと同じＳＳＩＤを接続要求信号Ｓ１とし、これを当該アクセスポイント５に割り当てられている周波数チャネルと同じ周波数チャネルで送信したことにより、アクセスポイント５から返信された無線接続許可信号Ｓ２を受信して無線接続が確立されたことを表しており、このとき無線接続制御部２４はステップＳＰ９に移る。
【００６６】
ステップＳＰ９において無線接続制御部２４は、無線接続装置３とアクセスポイント５との無線接続が確立したことを情報処理装置２の情報処理制御部１０に通知して、ステップＳＰ１０に移る。
【００６７】
ステップＳＰ１０において無線接続制御部２４は、記憶部２５からアクセスポイント情報データテーブル３３内の無線接続の確立に用いたＳＳＩＤに対応するＷＥＰキーを読み出し、当該読み出したＷＥＰキーをデータ処理部２１に送出した後、ステップＳＰ１１に移って第１の無線接続処理手順ＲＴ１を終了する。
【００６８】
ところで上述したステップＳＰ２において肯定結果が得られると、このことはＲＦ部２２に対して全ての周波数チャネルを設定し、最後に設定した周波数チャネルで全てのＳＳＩＤを接続要求信号Ｓ１として順番に送信しても、無線接続装置３とアクセスポイント５との無線接続が確立されなかったことを表しており、このとき無線接続制御部２４はステップＳＰ１２に移る。
【００６９】
ステップＳＰ１２において無線接続制御部２４は、無線接続装置３とアクセスポイント５との無線接続が確立されなかったことを情報処理装置２の情報処理制御部１０に通知してステップＳＰ１１に移る。
【００７０】
以上の構成において、無線接続装置３は、ユーザがインターネットサービスプロバイダに対して利用登録する毎に情報処理装置２からアクセスポイント利用登録データＤ１として与えられるＳＳＩＤを記憶部２５に記憶する。
【００７１】
そして無線接続装置３は、無線接続対象のアクセスポイント５の通信範囲内に無線通信端末４が持ち込まれた状態で情報処理装置２から無線接続要求Ｃ１が与えられると、ＲＦ部２２に対して複数の周波数チャネルを順番に設定するようにして、当該ＲＦ部２２に１つの周波数チャネルを設定する毎に記憶部２５内の全てのＳＳＩＤを接続要求信号Ｓ１として順番に送信するようにした。
【００７２】
従って無線接続装置３は、アクセスポイント５と無線接続する際にＳＳＩＤを入力させて通信設定を行うような煩雑な操作を行わせることなく、無線接続要求Ｃ１を入力させるだけの簡単な操作で、アクセスポイント５に対する無線接続処理を自動で実行することができる。
【００７３】
また無線接続装置３は、この際、アクセスポイント５との無線通信で使用可能な全ての周波数チャネルで、それぞれ記憶部２５に記憶している全てのＳＳＩＤを接続要求信号Ｓ１として順番に送信することにより、ユーザが無線接続対象のアクセスポイント５に割り当てられている周波数チャネル及び又はＳＳＩＤを知らない場合でも、何ら特別な操作を必要とせずに当該アクセスポイント５に対して無線接続を試みることができる。
【００７４】
そして無線接続装置３は、無線接続対象のアクセスポイント５に割り当てられているＳＳＩＤを記憶部２５に記憶していれば、そのＳＳＩＤを接続要求信号Ｓ１として全ての周波数チャネルで送信することにより、当該アクセスポイント５との無線接続を確実に確立することができる。
【００７５】
以上の構成によれば、無線接続装置３において無線接続要求Ｃ１に応じて、全ての周波数チャネルでそれぞれ、記憶部２５に記憶している全てのＳＳＩＤを接続要求信号Ｓ１として順番に送信するようにしたことにより、通信設定用の煩雑な操作を行わせることなく、無線接続要求Ｃ１を入力させるだけの簡単な操作でアクセスポイント５に対する無線接続処理を実行することができ、かくして、無線接続装置３とアクセスポイント５とを容易に無線接続し得る無線ＬＡＮシステム１を実現することができる。
【００７６】
（２）第２の実施の形態
図１との対応部分に同一符号を付して示す図５は、第２の実施の形態による無線ＬＡＮシステム５０を示し、無線通信端末５１に設けられた無線接続装置５２の構成を除いて、上述した第１の実施の形態による無線ＬＡＮシステム１と同様に構成されている。
【００７７】
実際上、図２との対応部分に同一符号を付して示す図６は、かかる無線通信端末５１の無線接続装置５２を示し、ＣＰＵでなる無線接続制御部５５及び内部メモリでなる記憶部５６の構成を除いて、上述した第１の実施の形態による無線接続装置３と同様に構成されている。
【００７８】
この場合、記憶部５６には、第１の実施の形態と同様のチャネルデータテーブルが予め記憶されている。
【００７９】
また記憶部５６には、インターネットサービスプロバイダの管理運営しているアクセスポイント５を利用した無線通信に必要となる、例えば動画や音楽等のコンテンツデータをストリーミング再生するためのストリーミング再生プログラム、Ｗｅｂページブラウザ、ファイルダウンロードプログラム等の各種アプリケーションプログラム（以下、これを特に起動アプリケーションプログラムと呼ぶ）が記憶されていると共に、これら各種起動アプリケーションプログラムにその名称が対応付けられて予め記憶されている。
【００８０】
そして無線接続制御部５５は、インターネットサービスプロバイダに対するユーザの利用登録により情報処理装置２において、そのインターネットサービスプロバイダから通知されたＳＳＩＤ及びＷＥＰキーが入力される際、当該情報処理装置２から操作部１４を介して入力された各種起動アプリケーションプログラムの名称に対する閲覧要求Ｃ２がバス１１及び外部機器インタフェース部１５を順次介して与えられると、これを外部インタフェース部２０を介して取り込む。
【００８１】
無線接続制御部５５は、閲覧要求Ｃ２に応じて記憶部５６から全ての起動アプリケーションプログラムの名称を読み出し、当該読み出した名称に基づいてこれを閲覧するための名称閲覧データＤ１０を生成して外部インタフェース部２０から情報処理装置２に送出する。
【００８２】
この際、情報処理装置２において情報処理制御部１０は、無線接続装置５２から与えられた名称閲覧データＤ１０を外部機器インタフェース部１５及びバス１１を順次介して表示部１３に送出することにより当該表示部１３に起動アプリケーションプログラムの名称を表示する。
【００８３】
これにより情報処理制御部１０は、インターネットサービスプロバイダに対するユーザの利用登録により、利用が可能となったアクセスポイント５を介して無線通信する際に必要となる起動アプリケーションプログラムを表示部１３に表示している名称により選択指定させることができる。
【００８４】
また情報処理制御部１０は、この際、起動アプリケーションプログラムとしてＷｅｂページブラウザ等のように、その起動に伴い無線通信先のＵＲＬ（Ｕｎｉｆｏｒｍ  Ｒｅｓｏｕｒｃｅ  Ｌｏｃａｔｏｒ）等の付随情報も必要になる場合には、その付随情報も操作部１４を介して入力させることができる。
【００８５】
そして情報処理制御部１０は、インターネットサービスプロバイダに対するユーザの利用登録に応じて、操作部１４を介してＳＳＩＤ及びＷＥＰキーが入力されると、当該入力されたＳＳＩＤ及びＷＥＰキーを（この際に必要に応じて選択指定された起動アプリケーションプログラムの名称や、同様に必要に応じて入力された付随情報と共に）アクセスポイント利用登録データＤ１１としてバス１１及び外部機器インタフェース部１５を順次介して無線接続装置５２に送出する。
【００８６】
無線接続制御部５５は、図７に示すように、情報処理装置２から与えられたアクセスポイント利用登録データＤ１１を外部インタフェース部２０を介して取り込み、当該取り込んだアクセスポイント利用登録データＤ１１に基づいて得られるＳＳＩＤ、ＷＥＰキー同士（これは情報処理装置２でＳＳＩＤ及びＷＥＰキーのみが入力された場合）又はＳＳＩＤ及びＷＥＰキーと共に起動アプリケーションプログラムの名称や付随情報同士（これは情報処理装置２でＳＳＩＤ及びＷＥＰキーの入力と共に起動アプリケーションプログラムが選択指定されたり、これに合わせて付随情報が入力された場合）を、例えばそのＳＳＩＤ及びＷＥＰキー等が利用登録によって与えられた順番を表す登録番号と対応付けて記憶部５６に記憶することにより、当該記憶部５６上でこれらＳＳＩＤ（ｓｓｉｄ６０）、ＷＥＰキー（ｗｅｐｋｅｙ６１）、起動アプリケーションプログラムの名称（起動アプリケーション名６２）、付随情報（付随情報６３）並びに登録番号（ＡＰｉｎｄｅｘ６４）の一覧表でなるアクセスポイント情報データテーブル６５を更新する。
【００８７】
この状態で無線接続制御部５５は、無線接続装置５２とアクセスポイント５とが無線接続した場合、記憶部５６内のアクセスポイント情報データテーブル６５を用いて、無線接続の確立に用いたＳＳＩＤに対応する起動アプリケーションプログラムが選択指定されているか、またそのＳＳＩＤに対応する付随情報が与えられているかを検索する。
【００８８】
この結果、無線接続制御部５５は、ＳＳＩＤに対応する起動アプリケーションプログラムや付随情報が存在する場合には、これらを記憶部５６から読み出し、当該読み出した起動アプリケーションプログラムや付随情報を、無線通信使用データＤ１２として外部インタフェース部２０を介して情報処理装置２に送出する。
【００８９】
これにより情報処理制御部１０は、無線接続装置５２とアクセスポイント５との無線接続に応じて当該無線接続装置５２から無線通信使用データＤ１２が与えられると、これを外部機器インタフェース部１５及びバス１１を順次介して記憶部１２に一旦記憶し、無線通信使用データＤ１２に基づいて得られた起動アプリケーションプログラムを実行すると共に、その実行に合わせて付随情報を使用して無線通信を行うようになされている。
【００９０】
因みに情報処理制御部１０は、無線接続装置５２から無線通信使用データＤ１２として例えばＷｅｂページブラウザ（起動アプリケーションプログラム）及びＵＲＬ（付随情報）が与えられた場合には、当該Ｗｅｂページブラウザを実行してＵＲＬで指定されている所定のＷｅｂページに無線接続装置５２を介してアクセスし、その結果得られたＷｅｂページを表示部１３に表示する。
【００９１】
ここで実際上、無線接続制御部５５は、情報処理装置２から無線接続要求Ｃ１が与えられると、記憶部５６に予め記憶している第２の無線接続処理プログラムを読み出し、当該読み出した第２の無線接続処理プログラムに従って図４との対応部分に同一符号を付した図８に示す第２の無線接続処理手順ＲＴ２に開始ステップから入ってステップＳＰ１に移る。
【００９２】
この場合、無線接続制御部５５は、ステップＳＰ１〜ステップＳＰ１０において図４について上述した第１の無線接続処理ＲＴ１と同様の処理を実行した後、次のステップＳＰ２１に移る。
【００９３】
ステップＳＰ２１において無線接続制御部５５は、記憶部５６内のアクセスポイント情報データテーブル６５を用いて、無線接続の確立に用いたＳＳＩＤに対応する起動アプリケーションプログラムが存在するか否かを判断する。
【００９４】
このステップＳＰ２１において肯定結果が得られると、このことはこの時点で無線接続装置５２と無線接続しているアクセスポイント５を利用して無線通信する場合に必要な起動アプリケーションプログラムが予め選択指定されている（すなわち無線接続の確立に用いたＳＳＩＤに起動アプリケーションプログラムを対応付けている）ことを表しており、このとき無線接続制御部５５はステップＳＰ２２に移る。
【００９５】
ステップＳＰ２２において無線接続制御部５５は、記憶部５６からアクセスポイント情報データテーブル６５に従ってＳＳＩＤに対応する起動アプリケーションプログラムを読み出し（そのＳＳＩＤに付随情報も対応付けている場合はこれも読み出す）、当該読み出した起動アプリケーションプログラム（又は当該読み出した起動アプリケーションプログラム及び付随情報）を無線通信使用データＤ１２として外部インタフェース部２０を介して情報処理装置２に送出した後、ステップＳＰ２３に移ってこの第２の無線接続処理手順ＲＴ２を終了する。
【００９６】
因みにステップＳＰ２１において否定結果が得られると、このことは、この時点で無線接続装置５２と無線接続しているアクセスポイント５を利用して無線通信する場合に必要な起動アプリケーションプログラムが特には選択指定されていない（すなわち無線接続の確立に用いたＳＳＩＤには起動アプリケーションプログラムを対応付けてはいない）ことを表しており、このとき無線接続制御部５５はステップＳＰ２３に移る。
【００９７】
以上の構成において、無線接続装置５２は、アクセスポイント５を利用して無線通信する際に必要となる各種起動アプリケーションプログラムを記憶部５６に記憶しており、インターネットサービスプロバイダに対するユーザの利用登録に応じてＳＳＩＤを記憶部５６に記憶する際に、そのＳＳＩＤが割り当てられているアクセスポイント５を利用して無線通信する際に必要となる種起動アプリケーションプログラムがあれば当該必要な起動アプリケーションプログラムをそのＳＳＩＤに対応付けておく。
【００９８】
そして無線接続装置５２は、無線通信にいずれかの起動アプリケーションプログラムが必要なアクセスポイント５との無線接続が確立されると、記憶部５６からそのアクセスポイント５に割り当てられているＳＳＩＤに基づいて（すなわち無線接続の確立に用いたＳＳＩＤに基づいて）これと対応する起動アプリケーションプログラムを読み出して情報処理装置２に送出し、当該情報処理装置２にその起動アプリケーションプログラムを実行させるようにした。
【００９９】
従って無線接続装置５２は、アクセスポイント５との無線接続を確立した場合、当該アクセスポイント５との無線通信に必要となる起動アプリケーションプログラムを選択させたり、実行命令を入力させるような煩雑な操作を行わせることなく、その起動アプリケーションプログラムを自動で選択実行させることができる。
【０１００】
また情報処理装置２は、無線接続装置５２においてアクセスポイント５を利用した無線通信に必要となる複数の起動アプリケーションプログラムを記憶部５６に記憶していることにより、当該複数の起動アプリケーションプログラムを常時記憶しておく必要がなく、記憶部１２の記憶容量を無線通信によって取得した情報の記憶等に有効に利用することができる。
【０１０１】
以上の構成によれば、無線接続装置５２においてＳＳＩＤと、アクセスポイント５を利用した無線通信に使用する起動アプリケーションプログラムとを対応付けて記憶部５６に記憶し、ＳＳＩＤを接続要求信号Ｓ１として順番に送信した結果、アクセスポイント５との無線接続が確立されると当該記憶部５６から無線接続の確立に用いたＳＳＩＤに対応する起動アプリケーションプログラムを読み出して情報処理装置２に送出するようにしたことにより、上述した第１の実施の形態によって得られた効果に加えて、アクセスポイント５に対して、無線通信に必要な起動アプリケーションプログラムの選択を伴う無線接続処理を自動で実行することができ、かくして無線接続装置５２とアクセスポイント５との無線接続処理における操作を大幅に簡易化することができる。
【０１０２】
（３）他の実施の形態
なお上述した第１及び第２の実施の形態においては、第１及び第２の無線接続処理手順ＲＴ１及びＲＴ２において、ＲＦ部２２に対して１つの周波数チャネルを設定する毎に記憶部２５及び５６に記憶している全てのＳＳＩＤを接続要求信号Ｓ１として順番に送信することにより、複数の周波数チャネルでそれぞれ全てのＳＳＩＤを接続要求信号Ｓ１として順番に送信するようにした場合について述べたが、本発明はこれに限らず、順次１つのＳＳＩＤを接続要求信号Ｓ１として複数の周波数チャネルで順番に送信することにより、記憶部２５及び５６に記憶している全てのＳＳＩＤを接続要求信号Ｓ１としてそれぞれ複数の周波数チャネルで送信するようにしても良い。
【０１０３】
ここで全てのＳＳＩＤを接続要求信号Ｓ１として複数の周波数チャネルで送信する場合、無線接続制御部は、記憶部に予め記憶している第３の無線接続処理プログラムに従って、例えば図４との対応部分に同一符号を付した図９に示す第３の無線接続処理手順ＲＴ３に開始ステップから入ってステップＳＰ３１に移る。
【０１０４】
ステップＳＰ３１において無線接続制御部は、記憶部からアクセスポイント情報データテーブル内の登録順番に従ってＳＳＩＤを読み出して、次のステップＳＰ３２に移る。
【０１０５】
ステップＳＰ３２において無線接続制御部は、既にアクセスポイント情報データテーブル内の全てのＳＳＩＤを接続要求信号Ｓ１として送信し終えているか否かを判断する。
【０１０６】
このステップＳＰ３２において否定結果が得られると、このことはアクセスポイント情報データテーブル内の全てのＳＳＩＤを接続要求信号Ｓ１として未だ送信し終えてはいないことを表しており、このとき無線接続制御部はステップＳＰ３３に移る。
【０１０７】
ステップＳＰ３３において無線接続制御部は、記憶部からチャネルデータテーブルに従って最初の周波数チャネルの通信周波数の値を読み出してＲＦ部を制御することにより当該ＲＦ部に対して最初の周波数チャネルを設定して、次のステップＳＰ３４に移る。
【０１０８】
ステップＳＰ３４において無線接続制御部は、既にＲＦ部に対して全ての周波数チャネルを設定したか否かを判断する。
【０１０９】
このステップＳＰ３４において否定結果が得られると、このことはＲＦ部に対して未だ全ての周波数チャネルを設定してはいないことを表しており、このとき無線接続制御部はステップＳＰ５に移る。
【０１１０】
ここで無線接続制御部は、ステップＳＰ５の処理を実行した後、ステップＳＰ６に移って否定結果を得ると、ステップＳＰ３５に移る。
【０１１１】
ステップＳＰ３５において無線接続制御部は、記憶部からチャネルデータテーブルに従って新たな周波数チャネルの通信周波数の値を読み出してＲＦ部を制御することにより当該ＲＦ部に対して新たな周波数チャネルを設定して、ステップＳＰ３４に戻る。
【０１１２】
このようにして無線接続制御部は、記憶部からアクセスポイント情報データテーブル内の登録順番に従ったＳＳＩＤを１つ読み出した状態で、アクセスポイントから返信される無線接続許可信号Ｓ２を受信するまでの間は、ステップＳＰ３４−ＳＰ５−ＳＰ６−ＳＰ３５の一連の処理を循環的に繰り返すことにより、１つのＳＳＩＤを接続要求信号Ｓ１として順次新たな周波数チャネルで送信する。
【０１１３】
そしてステップＳＰ３４において肯定結果が得られると、このことは１つのＳＳＩＤを接続要求信号Ｓ１として全ての周波数チャネルで順番に送信し終えたことを表しており、このとき無線接続制御部はステップＳＰ３６に移る。
【０１１４】
ステップＳＰ３６において無線接続制御部は、記憶部からアクセスポイント情報データテーブル内の登録順番に従って新たなＳＳＩＤを読み出して、ステップＳＰ３２に戻る。
【０１１５】
このようにして無線接続制御部は、アクセスポイントから返信される無線接続許可信号Ｓ２を受信するまでの間は、ステップＳＰ３２−ＳＰ３３−ＳＰ３４−ＳＰ５−ＳＰ６−ＳＰ３５−ＳＰ３６の一連の処理を循環的に繰り返すことにより、個々のＳＳＩＤを接続要求信号Ｓ１としてそれぞれ全ての周波数チャネルで順番に送信する。
【０１１６】
因みに無線接続制御部は、ステップＳＰ６において肯定結果を得ると、続くステップＳＰ９、ステップＳＰ１０の処理を順番に実行した後、ステップＳＰ３７に移ってこの第３の無線接続処理手順ＲＴ３を終了する。
【０１１７】
またステップＳＰ３２において肯定結果が得られると、このことは全てのＳＳＩＤを接続要求信号Ｓ１として送信し、アクセスポイント情報データテーブル内の登録順番に従った最後のＳＳＩＤを接続要求信号Ｓ１として全ての周波数チャネルで送信しても、無線接続装置とアクセスポイントとの無線接続が確立されなかったことを表しており、このとき無線接続制御部はステップＳＰ１２に移る。
【０１１８】
かくして無線接続制御部は、かかる第３の無線接続処理手順ＲＴ３を実行することにより、全てのＳＳＩＤを接続要求信号Ｓ１としてそれぞれ複数の周波数チャネルで順番に送信することができる。
【０１１９】
ところで、以上の説明では、第３の無線接続処理手順ＲＴ３を図４について上述した第１の無線接続処理手順ＲＴ１に対応させていることにより、当該第３の無線接続処理手順ＲＴ３を第１の実施の形態に適用し得ることは明らかであるが、第３の無線接続処理手順ＲＴ３のステップＳＰ１０とステップＳＰ３７との間に、図８について上述した第２の無線接続処理手順ＲＴ２のステップＳＰ２１及びステップＳＰ２２を加えれば、この第３の無線接続処理手順ＲＴ３を第２の実施の形態に対しても容易に適用することができる。
【０１２０】
そして上記第１及び第２の実施の形態に対してかかる第３の無線接続処理手順ＲＴ３を適用した場合でも、当該第１及び第２の実施の形態と同様の効果を得ることができる。
【０１２１】
また上述した第１及び第２の実施の形態においては、自己に割り当てられた周波数チャネルで当該自己に割り当てられたＳＳＩＤが接続要求信号Ｓ１として送信されたときのみその接続要求信号Ｓ１を受信するアクセスポイント５に無線接続装置３及び５２を無線接続するようにした場合について述べたが、本発明はこれに限らず、自己に割り当てられた周波数チャネルで当該自己に割り当てられたＳＳＩＤが接続要求信号Ｓ１として送信されると、その接続要求信号Ｓ１を受信するものの、自己に割り当てられた周波数チャネルで送信された
返答要求信号を受信し、これに応じてその周波数チャネルで返答信号を返信するアクセスポイントに無線接続装置３及び５２を無線接続するようにしても良い。
【０１２２】
そしてかかるアクセスポイントに無線接続装置３及び５２を無線接続する場合には、当該無線接続装置３及び５２において、複数の周波数チャネルで返答要求信号を送信し、この結果、かかるアクセスポイントから返信された返答信号を受信したときにその返答信号の周波数チャネルのみで、記憶部２５及び５６に記憶している全てのＳＳＩＤを接続要求信号Ｓ１として送信するようにしても良い。
このようにすれば接続要求信号Ｓ１の送信に先立って複数の周波数チャネルをそれぞれ１度だけ使用した返答要求信号の送信で、アクセスポイントに割り当てられている周波数チャネルを特定することができ、その特定した周波数チャネルでのみ接続要求信号Ｓ１を送信することにより、上述した第１〜第３の無線接続処理手順ＲＴ１〜ＲＴ３に比べて、無線接続処理を大幅に簡略化することができると共に、処理時間も大幅に短縮することができる。
【０１２３】
さらに上述した第１及び第２の実施の形態においては、上述した第１〜第３の無線接続処理手順ＲＴ１〜ＲＴ３において接続要求信号Ｓ１を送信する際に、記憶部２５及び５６内の全てのＳＳＩＤをアクセスポイント情報データテーブル３３及び６５に示す登録順番に従って順次用いるようにした場合について述べたが、本発明はこれに限らず、無線接続装置３及び５２において、アクセスポイントとの無線接続の履歴を例えば図１０に示すように、無線接続の確立した日時（無線接続確立日時７０）、登録番号（ＡＰｉｎｄｅｘ７１）、無線接続の確立したアクセスポイントに割り当てられているＳＳＩＤ（ｓｓｉｄ７２）及び当該アクセスポイントに割り当てられている周波数チャネル（チャネル７３）の情報を有する接続履歴データテーブル７４として無線接続の確立に合わせ適宜更新しながら記憶部２５及び５６に記憶し、アクセスポイントに無線接続する際にその接続履歴データテーブル７４を用いて、最も多く無線接続しているアクセスポイントから最も無線接続の少ないアクセスポイントの順番で無線接続を試みた後、アクセスポイント情報データテーブル３３及び６５内の、その時点までに既に無線接続を試みたアクセスポイントに割り当てられているＳＳＩＤを除いた残りのＳＳＩＤを用いて上述した第１〜第３の無線接続処理手順ＲＴ１〜ＲＴ３を実行するようにしても良い。このようにすれば、無線接続装置３及び５２を、より短時間で無線接続対象のアクセスポイントに無線接続し得る可能性を格段的に高くすることができる。
【０１２４】
また接続履歴データテーブル７４を用いる場合には、無線接続したアクセスポイント毎の無線接続回数を単純加算するだけではなく、例えば無線接続回数を無線接続の確立した日時に応じて重み付け加算してもよく（すなわち日時が最近のものほど重みを大きくする）、これによりアクセスポイントの利用状況、利用実態に即した無線接続処理を実行することができる。
【０１２５】
さらに上述した第１及び第２の実施の形態においては、無線接続装置３及び５２をインターネット等のネットワーク６に接続されたアクセスポイント５に無線接続するようにした場合について述べたが、本発明はこれに限らず、無線接続装置３及び５２を会社内や、所定の敷地内で無線ＬＡＮを構築するために設置されたアクセスポイントに無線接続するようにしても良い。
【０１２６】
さらに上述した第１及び第２の実施の形態においては、本発明による無線接続装置を図１〜図１０について上述した無線ＬＡＮシステム１の無線接続装置３及び５２に適用するようにした場合について述べたが、本発明はこれに限らず、図１〜図１０について上述した無線接続装置３と同様の無線通信機能を有するＰＤＡやパーソナルコンピュータ等のように、この他種々の無線接続装置に広く適用することができる。
【０１２７】
さらに上述した第１及び第２の実施の形態においては、本発明による無線接続プログラムを無線接続装置３の記憶部２５に予め記憶している第１の無線接続処理プログラム及び第２の無線接続装置５２の記憶部５６に予め記憶している第２の無線接続処理プログラム並びに第３の無線接続処理プログラムに適用し、当該第１〜第３の無線接続処理プログラムに従って図４、図８及び図９について上述した第１〜第３の無線接続処理手順ＲＴ１〜ＲＴ３を実行するようにした場合について述べたが、本発明はこれに限らず、第１〜第３の無線接続処理プログラムをローカルエリアネットワークやインターネット、デジタル衛星放送等の有線及び無線通信媒体を利用して無線接続装置３及び５２や、無線通信機能を有するパーソナルコンピュータ及びＰＤＡ等の情報処理装置にインストールすることにより第１〜第３の無線接続処理手順ＲＴ１〜ＲＴ３を実行するようにしても良く、また第１〜第３の無線接続処理プログラムが格納されたプログラム格納媒体を無線接続装置３及び５２や、無線通信機能を有するパーソナルコンピュータ及びＰＤＡ等の情報処理装置にインストールすることにより第１〜第３の無線接続処理手順ＲＴ１〜ＲＴ３を実行するようにしても良い。
【０１２８】
因みに上述した第１〜第３の無線接続処理手順ＲＴ１〜ＲＴ３を実行するための第１〜第３の無線接続処理プログラムを無線接続装置３及び５２や、無線通信機能を有するパーソナルコンピュータ及びＰＤＡ等の情報処理装置にインストールして実行可能な状態にするためのプログラム格納媒体としては、例えばフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ  ）、ＤＶＤ（Ｄｉｇｉｔａｌ  Ｖｅｒｓａｔｉｌｅ  Ｄｉｓｃ）等のパッケージメディアのみならず、第１〜第３の無線接続処理プログラムが一時的もしくは永続的に格納される半導体メモリや磁気ディスク等で実現しても良い。またこれらプログラム格納媒体に第１〜第３の無線接続処理プログラムを格納する手段としては、ローカルエリアネットワークやインターネット、デジタル衛星放送等の有線及び無線通信媒体を利用しても良く、ルータやモデム等の各種通信インターフェースを介して格納するようにしても良い。
【０１２９】
さらに上述した第１及び第２の実施の形態においては、基地局に予め割り当てられた識別情報として、図１〜図１０について上述したＩＥＥＥ８０２．１１ｂ規格に準じたインターネットサービスプロバイダ固有のＳＳＩＤを適用するようにした場合について述べたが、本発明はこれに限らず、無線接続装置と基地局との無線通信規格に準じた当該基地局固有の識別情報等のように、この他種々の識別情報を広く適用することができる。
【０１３０】
さらに上述した第１及び第２の実施の形態においては、予め割り当てられた識別情報と同じ識別情報を受信した際に無線接続を許可する基地局として、図１〜図１０について上述した無線ＬＡＮ用の基地局（すなわちアクセスポイント５）を適用するようにした場合について述べたが、本発明はこれに限らず、ＩＥＥＥ８０２．１１ｂを除くＩＥＥＥ８０２．１１ａ〜ＩＥＥＥ８０２．１１ｄ規格に準じた基地局等のように、この他種々の基地局を広く適用することができる。
【０１３１】
さらに上述した第１及び第２の実施の形態においては、１又は複数の基地局にそれぞれ割り当てられた識別情報を記憶する記憶手段として、図１〜図１０ついて上述した内部メモリでなる記憶部２５及び５６を適用するようにした場合について述べたが、本発明はこれに限らず、着脱可能なメモリや、ディスク状記録媒体等のように、この他種々の記憶手段を広く適用することができる。
【０１３２】
さらに上述した第１及び第２の実施の形態においては、基地局と無線通信する無線通信手段として、図１〜図１０について上述したデータ処理部２１、ＲＦ部２２及びアンテナ２３を適用するようにした場合について述べたが、本発明はこれに限らず、無線接続装置と基地局との間の無線通信規格に準じたこの他種々の無線通信手段を広く適用することができる。
【０１３３】
さらに上述した第１及び第２の実施の形態においては、基地局に対する無線接続要求に応じて、記憶手段から全ての識別情報を読み出し、当該読み出した識別情報を順番に送信するように無線通信手段を制御する制御手段として、図１〜図１０について上述したＣＰＵでなる無線接続制御部２４及び５５を適用するようにした場合について述べたが、本発明はこれに限らず、ＣＰＵ及びＲＡＭ（Ｒａｎｄｏｍ  Ａｃｃｅｓｓ  Ｍｅｍｏｒｙ）並びにＲＯＭ（Ｒｅａｄ  Ｏｎｌｙ  Ｍｅｍｏｒｙ）等からなるマイクロプロセッサ等のように、この他種々の制御手段を広く適用することができる。
【０１３４】
【発明の効果】
上述のように本発明によれば、予め割り当てられた識別情報と同じ識別情報を受信した際に無線接続を許可する基地局と無線接続する無線接続装置において、制御手段により、基地局に対する無線接続要求に応じて、１又は複数の基地局にそれぞれ割り当てられた識別情報を記憶する記憶手段から全ての識別情報を読み出し、当該読み出した識別情報を順番に送信するように、当該基地局と無線通信する無線通信手段を制御するようにしたことにより、識別情報の入力操作を必要とせずに無線接続要求を入力させるだけの簡単な操作で、基地局に対する無線接続処理を実行することができ、かくして無線接続装置と基地局とを容易に無線接続することができる。
【図面の簡単な説明】
【図１】本発明による無線ＬＡＮシステムの構成の第１の実施の形態を示す略線図である。
【図２】無線通信端末の回路構成を示すブロック図である。
【図３】アクセスポイント情報データテーブルの構成を示す略線図である。
【図４】第１の無線接続処理手順を示すフローチャートである。
【図５】第２の実施の形態による無線ＬＡＮシステムの構成を示す略線図である。
【図６】無線通信端末の回路構成を示すブロック図である。
【図７】アクセスポイント情報データテーブルの構成を示す略線図である。
【図８】第２の無線接続処理手順を示すフローチャートである。
【図９】他の実施の形態による第３の無線接続処理手順を示すフローチャートである。
【図１０】接続履歴データテーブルの構成を示す略線図である。
【符号の説明】
１、５０……無線ＬＡＮシステム、３、５２……無線接続装置、５……アクセスポイント、２１……データ処理部、２２……ＲＦ部、２３……アンテナ、２４、５５……無線接続制御部、２５、５６……記憶部、３３、６５……アクセスポイント情報データテーブル、Ｓ１……接続要求信号、Ｓ２……無線接続許可信号、Ｃ１……無線接続要求、ＲＴ１……第１の無線接続処理手順、ＲＴ２……第２の無線接続処理手順、ＲＴ３……第３の無線接続処理手順。
【図１】
2004187001.tif 000003
【図２】
2004187001.tif 000004
【図３】
2004187001.tif 000005
【図４】
2004187001.tif 000006
【図５】
2004187001.tif 000007
【図６】
2004187001.tif 000008
【図７】
2004187001.tif 000009
【図８】
2004187001.tif 000010
【図９】
2004187001.tif 000011
【図１０】
2004187001.tif 000012